(57)【要約】【課題】尿収集バッグに尿メーターを固定するための方法を提供すること。【解決手段】本発明の方法は、少なくとも１つの流体容器を規定するハウジング、および該ハウジングの上端部に位置決めされる少なくとも１つの排水開口部を含むメーターを提供する工程；流体リザーバーを規定し、少なくとも１つの入口開口部を含む収集バッグを提供する工程；該少なくとも１つの排水開口部が該少なくとも１つの入口開口部と流体連通して位置決めされるように、該メーターを、該収集バッグに隣接して位置決めする工程；ならびにＲＦ溶接デバイスを用いて、該少なくとも１つの流体容器が該少なくとも１つの排水開口部および該少なくとも１つの入口開口部を経由して該流体リザーバーと流体連通するように該メーターを該収集バッグに固定する工程を包含する。【選択図】図１
2008012282.tif 000002
【特許請求の範囲】
【請求項１】
尿収集バッグに尿メーターを固定する方法であって：
少なくとも１つの流体容器を規定するハウジング、および該ハウジングの上端部に位置決めされる少なくとも１つの排水開口部を含むメーターを提供する工程；
流体リザーバーを規定し、少なくとも１つの入口開口部を含む収集バッグを提供する工程；
該少なくとも１つの排水開口部が該少なくとも１つの入口開口部と流体連通して位置決めされるように、該メーターを、該収集バッグに隣接して位置決めする工程；ならびに
ＲＦ溶接デバイスを用いて、該少なくとも１つの流体容器が該少なくとも１つの排水開口部および該少なくとも１つの入口開口部を経由して該流体リザーバーと流体連通するように該メーターを該収集バッグに固定する工程、を包含する、方法。
【請求項２】
前記メーターを提供する工程が、前記少なくとも１つの排水開口部の周りに位置決めされる該メーターのハウジング上の高くなった表面を提供する工程を含み、そして前記ＲＦ溶接デバイスを用いる工程が、前記収集バッグを該メーターのハウジング上の高くなった表面に溶接する工程を含む、請求項１に記載の方法。
【請求項３】
前記少なくとも１つの排水開口部が２つの排水開口部を含み、そして前記少なくとも１つの入口開口部が２つの入口開口部を含む、請求項１に記載の方法。
【請求項４】
前記メーターが、グリコールで改変されたポリエステルテレフタレート（「ＰＥＴＧ」）から構築され、そして前記収集バッグが塩化ポリビニルから形成される、請求項２に記載の方法。
【請求項５】
前記２つの排水開口部が前記メーターの対向する側面上に位置決めされ、そして前記ハウジング上の高くなった表面が、該メーターのハウジングの上部分に沿って、該２つの排水開口部の第１の排水開口部の周りで、かつ該２つの排水開口部の第２の排水開口部の周りで延びる、請求項３に記載の方法。
【請求項６】
前記メーターのハウジングが、射出成形される、請求項１に記載の方法。
【請求項７】
前記ハウジングが、グリコールで改変されたポリエステルテレフタレート（「ＰＥＴＧ」）から形成され、そして前記収集バッグが塩化ポリビニルから形成される、請求項６に記載の方法。
【請求項８】
前記メーターのハウジングが、射出成形される、請求項２に記載の方法。
【請求項９】
前記ハウジングが、グリコールで改変されたポリエステルテレフタレート（「ＰＥＴＧ」）から形成され、そして前記収集バッグが塩化ポリビニルから形成される、請求項８に記載の方法。
【請求項１０】
尿収集システムであって：
流体リザーバーを規定する尿収集バッグ；および
面板および流体容器を規定するハウジングを含み、該流体リザーバーが該流体容器に流体により連結されるように、該尿収集バッグに固定される尿メーターを備え、ここで、該尿収集メーターが、該流体容器中の流体に接近するような形態のサンプリングポートをさらに含む、尿収集システム。
【請求項１１】
前記サンプリングポートが、スリップチップまたはルアロックタイプのシリンジを係合するように適合される、請求項１０に記載の尿収集システム。
【請求項１２】
前記サンプリングポートが、前記尿メーターの面板上に支持される、請求項１１に記載の尿収集システム。
【請求項１３】
前記流体容器が第１の容器および第２の容器を含み、該第１の容器が該流体容器の中央部分に位置決めされ、そして該第２の容器が該第１の容器の対向する側面上に位置決めされる、請求項１２に記載の尿収集システム。
【請求項１４】
前記サンプリングポートが、前記第１の容器中の流体に接近するように位置決めされる、請求項１３に記載の尿収集システム。
【請求項１５】
前記メーター中に、流体を注ぐように位置決めされる排水チューブをさらに含む、請求項１４に記載の尿収集システム。
【請求項１６】
前記排水チューブが、前記第１の容器中に、流体を注ぐように位置決めされる、請求項１５に記載の尿収集システム。
【請求項１７】
前記第１の容器が、前記第２の容器中にあふれ出るような形態である、請求項１６に記載の尿収集システム。
【発明の詳細な説明】
【技術分野】
【０００１】
（背景）
（１．技術分野）
本開示は、流体収集バッグおよび流体メーターを含む流体収集システムに関する。より詳細には、本開示は、流体収集メーターを流体収集バッグに固定するための方法に関する。
【背景技術】
【０００２】
（２．関連技術の背景）
尿収集バッグに取り付けられる尿収集メーターを含む尿収集システムは周知であり、そしてカテーテル処理される患者から尿を収集するために一般に用いられている。代表的には、尿メーターは、尿収集バッグに取り付けられ、そしてこのメーターの上端部に位置決めされた１つ以上の排水開口部を含み、これらは、収集バッグ中の開口部と連通している。カテーテル処理される患者に連結される第１の端部を有する排水チューブは、尿メーターに注ぐ第２の端部を有する。この尿メーターは、少なくとも１つの流体容器およびこの流体容器内の流体の容量を示すための印を含む面板を含む。
【０００３】
使用において、カテーテル処理の所定の期間の後、尿の排出量は、医療従事者によって記録され得、そしてメーター中に収集された尿は、尿メーターを傾けることにより尿収集バッグ中に注がれ得る。尿メーターが傾けられるとき、流体容器中の尿は、尿メーターの底部分から尿メーターの上部分に流れ、そこで、それは、排水開口部（単数または複数）を通って尿収集バッグに辿る。
【０００４】
一般に、尿メーターは、このメーターの領域を尿収集バッグへの排水開口部（単数または複数）の周りで固定することによって尿バッグに固定される。この結合ステップの前またはその後で、開口部が、排水開口部（単数または複数）と連通して収集バッグ中に形成される。全体のアセンブリは、支持構造（例えば、病院ベッド）に、収集バッグに固定される支持ハンガーによって引っ掛けられる。この尿メーターは、尿の漏れを防ぐために収集バッグにしっかりと結合されなければならない。
【０００５】
尿メーターを尿バッグに固定するためのいくつかの方法が公知である。例えば、１つの公知の方法では、ドッキング構造物が収集バッグに固定され、そしてこのドッキング構造物は、次いで、尿メーターに、溶媒結合によるか、または接着剤を用いてなどによって固定される。このような方法は、いくらかは有効であるが、増加した製造費用および拡大したバッグプロフィールを生じる。
【発明の開示】
【発明が解決しようとする課題】
【０００６】
従って、減少したバッグ／メータープロフィールを生じ、そしてメーターとバッグとの間の強力な結合をもたらす、安価な、尿メーターを尿収集バッグに固定するための方法を提供することが所望され得る。
【課題を解決するための手段】
【０００７】
（要旨）
本開示によれば、ハウジングおよび実質的に透明な面板を含む尿メーターが提供される。このハウジングは入口ポートを規定し、そして上壁、下壁、側壁、および後壁を含む。１つの実施形態では、このハウジングの上壁は実質的に凹状であり、そして中央部分および第１の端部および第２の端部を含む。この中央部分は、上壁の第１の端部および第２の端部の高さより小さい高さを有する。このハウジングはまた、少なくとも１つの排水開口部を規定する。１つの実施形態では、第１および第２の排水開口部が提供される。この第１および第２の排水開口部は、上記上壁の第１の端部および第２の端部に隣接して位置決めされる。窪んだチャネルが、上記第１および第２の排水開口部の周りで少なくとも部分的に形成され得、排液を改善する。
【０００８】
１つの実施形態では、少なくとも１つの流体容器は、第１および第２の容器を含む。この第１の流体容器は、上記ハウジング内の中央に位置し、入口ポートから流体を受容する。上記第２の流体容器は、上記第１の容器の１つの側面上に位置決めされる左容器部分、および上記第1の容器の対向する側面上に位置決めされる右容器部分を含む。これら左右の容器部分は、流体チャネルによって相互連結される。１つの実施形態では、上記流体チャネルは、上記第１の容器の下に延びる。
【０００９】
上記尿メーターは、上記入口ポートを通って延びるか、またはそこに位置決めされる排出端部を有する排水チューブを含み得る。この排水チューブは、実質的に切れ目を有さない平滑内面を含む。１つの実施形態では、この排水チューブの排出端部は角度をなすか、またはテーパー状である。
【００１０】
１つの実施形態では、上記第１の容器中の流体に接近するためのニードルレス（ｎｅｅｄｌｅｌｅｓｓ）サンプリングポートが提供される。このサンプリングポートは、上記面板の上記ハウジングへの取り付けに際し、このサンプリングポートが上記第１の容器と流体連通するようにこの面板上に支持され得る。上記面板は、上記第１および第２の流体容器内の流体の容量を識別するための印を含み得る。１つ以上のセットの印が、上記ハウジングの容器の各々またはすべてにある流体の容量を示すために提供され得る。
【００１１】
尿メーターを尿収集バッグに固定するための方法がまた、開示される。この方法は、少なくとも１つの流体容器を規定するハウジング、およびこのハウジングの上端部に位置決めされる少なくとも１つの排水開口部を含むメーターを提供する工程；流体リザーバーを規定し、そして少なくとも１つの入口開口部を有する収集バッグを提供する工程；上記メーターを、上記少なくとも１つの排水開口部がこの少なくとも１つの入口開口部と流体連通して位置決めされるように、上記収集バッグに隣接して位置決めする工程；およびＲＦ溶接デバイスを用いて、上記少なくとも１つの流体容器が上記少なくとも１つの排水開口部および上記少なくとも１つの入口開口部を経由して上記流体リザーバーと流体連通するように、上記メーターを上記収集バッグに固定する工程を含む。１つの実施形態では、上記メーターを提供する工程は、上記少なくとも１つの排水開口部の周りに位置決めされる上記メーターのハウジング上の高くなった表面を提供することを含み、そして上記ＲＦ溶接デバイスを用いる工程は、上記収集バッグを上記メーターのハウジング上の高くなった表面に溶接することを含む。上記少なくとも１つの排水開口部は２つの排水開口部を含み得、そして上記少なくとも１つの入口開口部は２つの入口開口部を含み得る。１つの実施形態では、上記メーターは、グリコールで改変されたポリエステルテレフタレート（「ＰＥＴＧ」）から構築され、そして上記収集バッグは塩化ポリビニルから形成される。
【００１２】
したがって、本発明は、以下の項目を提供する。
【００１３】
（項目１）尿収集バッグに尿メーターを固定する方法であって：
少なくとも１つの流体容器を規定するハウジング、およびこのハウジングの上端部に位置決めされる少なくとも１つの排水開口部を含むメーターを提供する工程；
流体リザーバーを規定し、少なくとも１つの入口開口部を含む収集バッグを提供する工程；
この少なくとも１つの排水開口部がこの少なくとも１つの入口開口部と流体連通して位置決めされるように、このメーターを、この収集バッグに隣接して位置決めする工程；ならびに
ＲＦ溶接デバイスを用いて、この少なくとも１つの流体容器がこの少なくとも１つの排水開口部およびこの少なくとも１つの入口開口部を経由してこの流体リザーバーと流体連通するようにこのメーターをこの収集バッグに固定する工程、を包含する、方法。
【００１４】
（項目２）上記メーターを提供する工程が、上記少なくとも１つの排水開口部の周りに位置決めされるこのメーターのハウジング上の高くなった表面を提供する工程を含み、そして上記ＲＦ溶接デバイスを用いる工程が、上記収集バッグをこのメーターのハウジング上の高くなった表面に溶接する工程を含む、項目１に記載の方法。
【００１５】
（項目３）上記少なくとも１つの排水開口部が２つの排水開口部を含み、そして上記少なくとも１つの入口開口部が２つの入口開口部を含む、項目１に記載の方法。
【００１６】
（項目４）上記メーターが、グリコールで改変されたポリエステルテレフタレート（「ＰＥＴＧ」）から構築され、そして上記収集バッグが塩化ポリビニルから形成される、項目２に記載の方法。
【００１７】
（項目５）上記２つの排水開口部が上記メーターの対向する側面上に位置決めされ、そして上記ハウジング上の高くなった表面が、このメーターのハウジングの上部分に沿って、この２つの排水開口部の第１の排水開口部の周りで、かつこの２つの排水開口部の第２の排水開口部の周りで延びる、項目３に記載の方法。
【００１８】
（項目６）上記メーターのハウジングが、射出成形される、項目１に記載の方法。
【００１９】
（項目７）上記ハウジングが、グリコールで改変されたポリエステルテレフタレート（「ＰＥＴＧ」）から形成され、そして上記収集バッグが塩化ポリビニルから形成される、項目６に記載の方法。
【００２０】
（項目８）上記メーターのハウジングが、射出成形される、項目２に記載の方法。
【００２１】
（項目９）上記ハウジングが、グリコールで改変されたポリエステルテレフタレート（「ＰＥＴＧ」）から形成され、そして上記収集バッグが塩化ポリビニルから形成される、項目８に記載の方法。
【００２２】
（項目１０）尿収集システムであって：
流体リザーバーを規定する尿収集バッグ；および
面板および流体容器を規定するハウジングを含み、この流体リザーバーがこの流体容器に流体により連結されるように、この尿収集バッグに固定される尿メーターを備え、ここで、この尿収集メーターが、この流体容器中の流体に接近するような形態のサンプリングポートをさらに含む、尿収集システム。
【００２３】
（項目１１）上記サンプリングポートが、スリップチップまたはルアロックタイプのシリンジを係合するように適合される、項目１０に記載の尿収集システム。
【００２４】
（項目１２）上記サンプリングポートが、上記尿メーターの面板上に支持される、項目１１に記載の尿収集システム。
【００２５】
（項目１３）上記流体容器が第１の容器および第２の容器を含み、この第１の容器がこの流体容器の中央部分に位置決めされ、そしてこの第２の容器がこの第１の容器の対向する側面上に位置決めされる、項目１２に記載の尿収集システム。
【００２６】
（項目１４）上記サンプリングポートが、上記第１の容器中の流体に接近するように位置決めされる、項目１３に記載の尿収集システム。
【００２７】
（項目１５）上記メーター中に、流体を注ぐように位置決めされる排水チューブをさらに含む、項目１４に記載の尿収集システム。
【００２８】
（項目１６）上記排水チューブが、上記第１の容器中に、流体を注ぐように位置決めされる、項目１５に記載の尿収集システム。
【００２９】
（項目１７）上記第１の容器が、上記第２の容器中にあふれ出るような形態である、項目１６に記載の尿収集システム。
【発明の効果】
【００３０】
本発明によって、減少したバッグ／メータープロフィールを生じ、そしてメーターとバッグとの間の強力な結合をもたらす、安価な、尿メーターを尿収集バッグに固定するための方法が提供される。
【発明を実施するための最良の形態】
【００３１】
（実施形態の詳細な説明）
現在開示される尿メーターおよび収集バッグアセンブリの実施形態は、ここで、図面を参照して詳細に説明され、ここで、同様の参照番号は、いくつかの図面の各々で同一または対応する要素を指定する。
【００３２】
図１は、現在開示される尿メーターおよび収集バッグアセンブリの１つの実施形態を示し、これは、一般に、２で示され、そして収集バッグ８および尿メーター１０を含む。図２〜４をまた参照して、尿メーター１０は、ハウジング１２および面板１４を含む。ハウジング１２および面板１４は、グリコールで改変されたポリエステルテレフタレート（「ＰＥＴＧ」）から構築され得る。ＰＥＴＧは、実質的に剛直性で、透明な材料である。１つの実施形態では、ハウジング１２および面板１４は、射出成形される。あるいは、同様の特徴を有するその他の材料を用いて、ハウジング１２および面板１４を構築し得る。１つの実施形態では、ハウジング１２は、その高さより大きい幅を有し、そして第１の容器１６および第２の容器１８を規定する。１つ以上、例えば、３または４の流体容器がハウジング１２内に提供され得ることが企図される。第１の容器１６は、ハウジング１２内で中央に位置され、そして小容量の尿を受容するような寸法および形態である。示されるように、第１の容器１６は、約４５ｍｌの流体を受容するような寸法であり得る。あるいは、第１の容器１６の寸法は、異なる容量の流体、例えば、１０〜１００ｍｌを保持するように変動され得る。１つの実施形態では、第１の容器１６は、ハウジング１２と一体またはモノリシックに形成され得る実質的にＵ字状の壁２０によって規定される。あるいは、その他の壁または容器構造、例えば、矩形などが想定される。容器１６の上端部は、以下にさらに詳細に論議されるように、流体の流れを受容するような寸法の開口部２２を規定し、そして第１の容器１６から第２の容器１８へ流体を溢れさせる。
【００３３】
第２の容器１８は、第１の容器１６の周りに位置決めされ、そして左容器部分１８ａおよび右容器部分１８ｂを含む。左容器部分１８ａおよび右容器部分１８ｂは、容器１６の反対側に位置決めされ、そして第１の容器１６の下で延びる流体チャネル２４を経由して互いと連通する。流体チャネル２４は、容器部分１８ａおよび１８ｂ中の流体の圧力そしてそれ故その液面が、たとえ、より多くの流体が第１の容器１６から左容器部分１８ａおよび右容器部分１８ｂの一方または他方に溢れ得るとしても平衡になるようにする。ハウジング１２中に３つ以上の容器が存在する場合、さらなる流体容器は、各々が、外向きかつ上記第１の容器および第２の容器の反対側に位置され、そして流体チャネルによって連結される２つの容器部分を含み得ることが想定される。
【００３４】
ハウジング１２は、階段状の部分２６ａおよび２６ｂを含み、これは、左容器部分１８ａおよび右容器部分１８ｂの後壁をそれぞれ規定する。階段状部分２６ａおよび２６ｂは、面板１４上の印に隣接して位置決めされ、そしてハウジング１２内の容器部分１８ａおよび１８ｂの深さを減少し、それによって、容器部分１８ａおよび１８ｂの容量を減少させる。中央に位置される第１の容器１６の周りに位置決めされる第２の容器１８を提供することと組み合わせ、このように容器部分１８ａおよび１８ｂの容量を減少させることによって、より小容量の流体が、第２の容器１８中でより容易に見える。従って、より大きな間隔が、面板１４上に提供される印間に提供され得、第２の容器１８中で小容量の流体のより正確な測定を可能にする。
【００３５】
１つの実施形態では、ハウジング１２はまた、階段状部分２６ａと２６ｂとの間に位置決めされた傾斜または角度をなすそれぞれの面２７ａおよび２７ｂ（図４）、ならびに壁２０の反対側を規定する。傾斜面２７ａおよび２７ｂは、階段状部分２６ａおよび２６ｂのそれぞれ前面から、ハウジング１２の後壁４２に向かって延びる傾いた面を規定する。傾斜面２７ａおよび２７ｂは、以下にさらに詳細に論議されるように、流体が、容器部分１８ａおよび１８ｂから排水開口部４０ａおよび４０ｂに向かって流れることを可能にする。
【００３６】
ハウジング１２の上部分は、実質的に凹状形態を有する上壁３０によって規定される。上壁３０は、陥凹部の低点を規定する中央部分３０ａ、および中央部分３０ａの上に位置決めされる対向する端部３０ｂおよび３０ｃを有する。ハウジング１２と一体またはモノリシックに形成され得る入口ポート３２は、上壁３０の中央部分３０ａを通って延びる。入口ポート３２は、上壁３０の最も低い点で尿メーター１０に入るように位置決めされ、患者から尿メーター中への流体の流れを改善し（すなわち、重力による供給システムにおけるメーター１０中への流体流入の入口の高さを低くすることによって）、排水チューブの入口端部と出口端部との間の高低差は、排水チューブ中の流体のヘッド圧力を増加するように増大される。１つの実施形態では、上壁３０は、円滑に湾曲した内面を規定する。あるいは、上壁３０は、上壁３０の中央部分がこの上壁の低点を規定する、種々の異なる凹状形態を有し得る。例えば、上壁３０は、互いに下方に向かって合流し、この上壁の中央部分で係合する一対の直線状壁部分を含み得る。
【００３７】
ハウジング１２はまた、容器部分１８ａおよび１８ｂの上にそれぞれ位置決めされる一対の間隔の空いた排水開口部４０ａおよび４０ｂを規定する。排水開口部４０ａおよび４０ｂは、ハウジング１２の後壁４２の反対側に規定され、そしてハウジング１２の上壁３０の端部３０ｂおよび３０ｃの下に、開口部４０ａおよび４０ｂがハウジング１２の最上部に隣接する位置まで延びるように位置される。窪んだチャネルまたは溝４３が、上壁３０に沿って、排水開口部４０ａの周り、および排水開口部４０ｂの周りに位置決めされる。あるいは、チャネル４３は、これらの排水開口部の１つ、または両方の周りに部分的にのみ延び得る。溝４３は、尿メーター１０の排液を増大するように機能する。１つの実施形態では、排水開口部４０ａおよび４０ｂは、各々、ハウジング１２の後壁４２の上部分の全表面領域の実質的な部分を規定する。開口部４０ａおよび４０ｂの領域、凹状上壁３０の最上部の角におけるそれらの位置、排水開口部４０ａおよび４０ｂの周りの溝の提供、および傾斜壁２７ａおよび２７ｂのため、流体は、尿メーターから迅速かつ完全に空にされる。これら特徴の任意の１つまたは任意の組み合わせが、尿メーターに取り込まれ得、この尿メーターの排液を改善することが想定される。
【００３８】
図２を参照して、面板１４は実質的に透明であり、そして第１の容器１６に隣接して位置決めされる第１のセットの印５０、第１の容器部分１８ａに隣接して位置決めされる第２のセットの印５２、および第２の容器部分１８ｂに隣接して位置決めされる第３のセットの印５４を含む。印５２は、印５４と実質的に同じである。面板１４は、ハウジング１２の前部分の周りに位置決めされる外側リム６０に接するように位置決めされる外側リム５８を含む。リム５８および６０は流体密な様式で一緒に固定され、面板１４をハウジング１２に封止する。１つの実施形態では、面板１４は、高周波（「ＲＦ」）溶接を用いてハウジング１２に固定される。あるいは、その他の公知の固定技法、例えば、接着剤、クランプ、ねじ、超音波溶接などが、面板１４をハウジング１２に固定するために用いられ得る。
【００３９】
面板１４の中央部分は、第１の容器１６を規定する壁２０の面６６に接するような形態であるシール部分６２を含む。シール部分６２は、例えば、溶接、接着剤などの流体密な様式で壁２０に固定され、第１の容器１６を第２の容器１８から封止する。一連の位置決めタブ６４が、面板１４のリム５８の周りに位置決めされる。位置決めタブ６４は、ハウジング１２のリム６０上に形成されたタブまたはスロット６４ａと整列し、面板１４のハウジング１２への取り付けの間に、面板１４をハウジング１２に対して適切に位置決めする。
【００４０】
面板１４はまた、容器１６の底にある流体への接近を提供するように位置決めされるサンプリングポート７０を含む。サンプリングポート７０は、ルアロック（ｌｕｅｒ−ｌｏｃ）またはスリップチップシリンジのいずれかを用いて第１の容器１６に接近するような形態である。このようなバルブは、Ｃｌｉｎｔｏｎ、ＭＡ．のＮｙｐｒｏ，Ｉｎｃ．の事業部であるＮＰ  Ｍｅｄｉｃａｌ，Ｉｎｃ．から入手可能である。サンプリングポート７０は、尿メーター１０中への細菌侵入のための可能な部位をなくし、その一方、ヒトが尿と接触する可能性を減少する。
【００４１】
上記で論議されたように、入口ポート３２は、排水チューブを受容するような寸法である（図示せず）。患者膀胱からの尿が、重力により患者の膀胱から流れ、そして尿メーター１０中に最初に収集されるように、この排水チューブの第１の端部は、カテーテル処置される患者と流体連通しているように適合される。この排水チューブの第２の端部は、入口ポート３２を直接通って、第１の容器１６の上の位置まで延びる。
【００４２】
図３を参照し、尿メーター１０のハウジング１２の後側面１００は、排水開口部４０ａおよび４０ｂの周りを、そして上壁３０に隣接する後壁４２に沿って延びる高くなった表面９０を含む。高くなった表面９０は、尿収集バッグ８と係合し、そして、以下にさらに詳細に説明されるようにそれに対して流体密な様式で封止されるよう位置決めされる。
【００４３】
図５を参照して、収集バッグ８は可撓性材料から形成され、そして尿メーター１０からの流体を受容するための流体リザーバーを規定する。１つの実施形態では、バッグ８は、ポリマー材料、例えば、ポリ塩化ビニル（ＰＶＣ）の前部シート１０２および後部シート１０４から形成され、これらは、ＲＦまたは超音波溶接によるようにそれらのエッジで一緒に連結され、流体リザーバーを規定する。あるいは、前部シート１０２および後部シート１０４は、熱シーリングなどを含む任意の公知の封止プロセスを用いて一緒に接続され得る。
【００４４】
１つの実施形態では、バッグ８の上部分は、開口部１０６を備え、これは、開口部支持面、例えば、病院ベッドフレーム上に尿メーターおよび収集バッグアセンブリを支持するために、支持部材、例えば、ハンガーまたはフックを受容するような寸法である。バッグ８のシート１０２および１０４は、開口部１０６の周りに位置決めされる領域１０８中に一緒に接続され得、支持位置でバッグ８に増加した強度を提供する。
【００４５】
１つの実施形態では、溝（ｇｕｌｌｙ）または凹部１１０がバッグ８の底に提供される。排出チューブ１３０（図６）と連通する排出開口部（図示されず）は、排出バルブ１１２中に延びる。排出バルブ１１２は、収集バッグ８の排液を行うように作動可能である。
【００４６】
バッグ８の前部シート１０２は、尿メーターハウジング１２の開口部４０ａおよび４０ｂ（図３）に形状およびサイズが対応する開口部１１４ａおよび１１４ｂを含む。開口部１１４ａおよび１１４ｂは、開口部４０ａおよび４０ｂと連通し、尿メーター１０が収集バッグ８中に排液することを可能にする。
【００４７】
上記で論議されたように、高くなった表面９０は、尿メーターハウジング１２の後壁４２上に位置決めされる。高くなった表面９０は、ハウジング１２の排水開口部４０ａおよび４０ｂの周りに延び、そして収集バッグ８の前部シート１０２に接するように位置決めされる。尿メーターおよび収集バッグアセンブリを形成する１つの方法では、ハウジング１２の高くなった表面９０は、開口部１１４ａおよび１１４ｂの周りで収集バッグ８の前部シート１０２に接するように位置決めされる。次に、高くなった表面９０は、高周波（「ＲＦ」）溶接デバイスを用いて前部シート１０２に封止して取り付けられる。高くなった表面９０は、このような固定プロセスの使用を可能にする。このＲＦ溶接プロセスは安価であり、上記メーターと上記収集バッグとの間の強力な結合を生じ、そしてより低いプロフィールを有するメーター／バッグアセンブリを提供し、すなわち、ドッキング構造の必要性を未然に防ぐ。
【００４８】
種々の改変が本明細書中に開示される実施形態になされ得ることが理解される。例えば、さらなる壁または障壁が、メーター１０をさらなる容器に分割するように提供され得、例えば、第３の容器が、左容器部分１８ａおよび右容器部分１８ｂ中にさらなる壁（単数または複数）を提供することにより提供され得る。さらに、このメーターおよびバッグの形態は、取り付けの方法の利点を達成するために開示されたようである必要はない。従って、その他のバッグおよびメーター形態が想定される。それ故、上記の説明は、制限的であると解釈されるべきではなく、好ましい実施形態の単なる例示として解釈されるべきである。当業者は、本明細書に添付の請求項の範囲および思想内のその他の改変を想定する。
【００４９】
（要約）
尿収集バッグに尿メーターを固定するための方法が開示される。この方法は、流体容器を規定するハウジングおよび少なくとも１つの排水開口部を有するメーターを提供する工程、流体リザーバーを規定し、そして少なくとも１つの入口開口部を有する収集バッグを提供する工程、および上記メーターをＲＦ溶接デバイスを用い上記バッグに固定し、上記流体容器と上記流体リザーバーとの間の流体連通を可能にする工程を含む。１つの実施形態では、上記ハウジングは、上記収集バッグが溶接される少なくとも１つの排水開口部の周りに位置決めされる高くなった表面を含む。
【図面の簡単な説明】
【００５０】
現在開示される尿メーターおよび収集バッグアセンブリの種々の実施形態は、本明細書中に図面を参照して開示される。
【図１】図１は、現在開示される尿メーターおよび収集バッグアセンブリの１つの実施形態の側方からの斜視図である。
【図２】図２は、図１に示される尿メーターの側方からの斜視図であり、尿メーターの面板がハウジングから分離されている。
【図３】図３は、図２に示される尿メーターの背面図である。
【図４】図４は、図２に示される尿メーターの前面図である。
【図５】図５は、尿メーターの収集バッグへの固定の前の、図１に示される尿メーターおよび収集バッグの側方からの斜視図である。
【図６】図６は、図１に示される尿メーターおよび収集バッグアセンブリの側面図である。
【図７】図７は、図１に示される尿メーターおよび収集バッグアセンブリの平面図である。
【符号の説明】
【００５１】
８  収集バッグ
１０  尿メーター
１２  ハウジング
１４  面板
１６  第１の容器
１８  第２の容器
２０  Ｕ字状の壁
２４  流体チャネル
３２  入口ポート
４０ａ  排水開口部
４０ｂ  排水開口部
【図１】
2008012282.tif 000003
【図２】
2008012282.tif 000004
【図３】
2008012282.tif 000005
【図４】
2008012282.tif 000006
【図５】
2008012282.tif 000007
【図６】
2008012282.tif 000008
【図７】
2008012282.tif 000009